(57)【要約】【課題】刷毛塗りができない部分や刷毛塗りしにくいところ、また塗装ローラによる塗装部分と刷毛塗りによる塗装部分との境界部分等に溶剤で溶かした塗料を噴霧して、刷毛塗りができない部分や刷毛塗りしにくいところの塗装や、塗装面の塗りムラ等を解消するために使用する携帯型塗装用ハンドスプレーを提供しようとするものである。【解決手段】塗料を充填した携行可能な容器本体と、容器本体に取り付けられ、かつトリガーを備えた蓄圧噴霧式スプレー装置とを有する携帯型塗装用ハンドスプレーであって、蓄圧噴霧式スプレー装置がアルミダイキャスト製品であり、容器本体がアルミダイキャスト製品もしくはポリオレフィン系プラスチック成形品からなることを特徴とする携帯型塗装用ハンドスプレー。【選択図】  図１
2006281149.tif 000002
【特許請求の範囲】
【請求項１】
塗料を充填した携行可能な容器本体と、容器本体に取り付けられ、かつトリガーを備えた蓄圧噴霧式スプレー装置とを有する携帯型塗装用ハンドスプレーであって、蓄圧噴霧式スプレー装置がアルミダイキャスト製品であり、容器本体がアルミダイキャスト製品もしくはポリオレフィン系プラスチック成形品からなることを特徴とする携帯型塗装用ハンドスプレー。
【請求項２】
蓄圧噴霧式スプレー装置が、容器本体に着脱自在に取り付けられていることを特徴とする請求項１に記載の携帯型塗装用ハンドスプレー。
【請求項３】
蓄圧噴霧式スプレー装置が、容器本体に挿入された吸上げパイプの先端にステンレス製ネットを取り付けたことを特徴とする請求項１または２に記載の携帯型塗装用ハンドスプレー。
【発明の詳細な説明】
【技術分野】
【０００１】
この発明は、刷毛塗りができない部分や刷毛塗りしにくいところ、塗装ローラによる塗装部分と刷毛塗りによる塗装部分との境界部分等に塗料を噴霧して、刷毛塗りに代えて塗装したり、塗装面の塗りムラを解消するために使用する携帯型塗装用ハンドスプレーに関するものである。
【背景技術】
【０００２】
従来、建築物の外壁面や内装面、床面等を塗装する際には、塗料を付着させた塗装ローラを外壁面等に転圧することによって主要な部分を塗装している。その際、塗装ローラの使えない建築物の外壁面や内装面、床面等の隅部や凹凸部分については、別途刷毛塗りによって塗装していた。
【特許文献１】特にありません。
【発明の開示】
【発明が解決しようとする課題】
【０００３】
しかしながら、塗装ローラによる塗装部分と刷毛塗りによる塗装部分とが異なる塗装面となってしまってうまく連続しないため見た目が非常に悪くなって、何度も塗り直しを要求されたり、また全体を刷毛塗りする必要が出てきたりするため、その根本的な解決が求められていた。
【０００４】
そのため、本発明者は上記課題を解決するために鋭意研究した結果、建築物の外壁面や内装面、床面等の隅部や凹凸部分等の刷毛塗りができない部分や刷毛塗りしにくいところを塗装するだけでなく、塗装ローラによる塗装部分と刷毛塗りによる塗装部分との境界部分等に塗料を噴霧することで上記の塗装面の塗りムラが解消できることに想到したのである。
しかしながら従来、このような塗料を現場で簡便に噴霧することのできる携帯型塗装用ハンドスプレーは存在しなかった。
【０００５】
そこでこの発明は、建築物の外壁面や内装面、床面等の隅部や凹凸部分等の刷毛塗りができない部分や刷毛塗りしにくいところを塗装するだけでなく、塗装ローラによる塗装部分と刷毛塗りによる塗装部分との境界部分等に塗料を噴霧して、刷毛塗りに代えて塗装したり、塗装面の塗りムラを解消するために使用する携帯型塗装用ハンドスプレーを提供しようとするものである。
【課題を解決するための手段】
【０００６】
上記目的を達成するため、この発明が提供する携帯型塗装用ハンドスプレーは、塗料を充填した携行可能な容器本体と、容器本体に取り付けられ、かつトリガーを備えた蓄圧噴霧式スプレー装置とを有する携帯型塗装用ハンドスプレーであって、蓄圧噴霧式スプレー装置がアルミダイキャスト製品であり、容器本体がアルミダイキャスト製品もしくはポリオレフィン系プラスチック成形品からなることを特徴とするものである。
【０００７】
この発明の携帯型塗装用ハンドスプレーは、上記蓄圧噴霧式スプレー装置が、容器本体に着脱自在に取り付けられていることをも特徴とするものである。
【０００８】
この発明の携帯型塗装用ハンドスプレーは、上記蓄圧噴霧式スプレー装置が、容器本体に挿入された吸上げパイプの先端にステンレス製ネットを取り付けたことをも特徴とするものである。
【発明の効果】
【０００９】
したがってこの発明によれば、建築物の外壁面や内装面、床面等の隅部や凹凸部分等の刷毛塗りができない部分や刷毛塗りしにくいところ、塗装ローラによる塗装と刷毛塗りによる塗装との境界部分等に、常時携行しているこの発明の携帯型塗装用ハンドスプレーを使用して塗装できるようになった。したがって、刷毛塗りができない部分や刷毛塗りしにくいところ、塗装ローラによる塗装部分と刷毛塗りによる塗装部分との境界部分等に、コンプレッサ等を用いないで簡便に塗料を噴霧できるようになり、上記刷毛塗りができない部分や刷毛塗りしにくいところの作業を簡単に行うことができ、また塗装面の塗りムラがワンタッチで解消できる。
【発明を実施するための最良の形態】
【００１０】
以下この発明の携帯型塗装用ハンドスプレーの実施の形態を、図面に基いて詳細に説明する。
図１はこの発明の携帯型塗装用ハンドスプレーの１実施例を示す概略側面図、図２はその概略正面図である。
【００１１】
図１および図２において携帯型塗装用ハンドスプレー１１は、溶剤で溶かした塗料４１を充填した携行可能な容器本体１２と、この容器本体１２に取り付けられ、かつトリガーを備えた蓄圧噴霧式スプレー装置１３とを有するものである。
また上記蓄圧噴霧式スプレー装置１３はアルミダイキャスト製品であることが望ましく、このアルミダイキャスト製品であれば有機溶剤で溶かした塗料、その他の溶剤で溶かした塗料によって腐食されることがない。
【００１２】
同様に上記容器本体１２もアルミダイキャスト製品であれば望ましいことであるが、ポリエチレンやポリプロピレン、ポリブタジェン等のポリオレフィン系プラスチック成形品であってもよい。このポリオレフィン系プラスチック成形品も有機溶剤で溶かした塗料、その他の溶剤で溶かした塗料によって腐食されることがない。
【００１３】
上記携帯型塗装用ハンドスプレー１１を構成する蓄圧噴霧式スプレー装置１３は、本体ハウジング２１の先端にノズル２２が回転可能に取り付けられ、ノズル２２を回すことによって塗料４１を霧状ないし放水状に噴射することができるようになっている。
【００１４】
また、上記ノズル２２の直後には回転軸２４を介してトリガー２３が首振り自在に取り付けられている。このトリガー２３は、本体ハウジング２１に内蔵した蓄圧室２５を進退するピストン２６の先端と当接しており、トリガー２３を引くことによってピストン２６を作動させることができる。
【００１５】
ピストン２６の作動によって圧縮された空気は、容器本体１２内に送入されてその内部を加圧する。本体ハウジング２１から垂下して容器本体１２内に下端を保持された吸上げパイプ２７の上端には、蓄圧室２５と連通するよう球状バルブ２８が支持されており、ピストン２６の作動によって圧縮された空気は、球状バルブ２８側から吸上げパイプ２７内へ送入されることはない。
【００１６】
他方、容器本体１２内に送入されてその内部を加圧している圧縮空気により、充填されている溶剤で溶かした塗料４１は吸上げパイプ２７から上昇して球状バルブ２８とともに逆止弁２９を押し開き、連通管３０を通って上記ノズル２２から霧状ないし放水状に噴射される。３１は、蓄圧室２５内においてピストン２６をトリガー２３側に向けて付勢するスプリングであり、トリガー２３を常態では引く前の位置まで押し戻すように作用して、トリガー２３を引いた後にトリガー２３を自動的に元の位置に復帰させるものである。
【００１７】
また３２は、本体ハウジング２１の下部に回転自在に取り付けた雌ねじ部を有するキャップであり、このキャップ３２を容器本体１２上端の雄ねじ部にはめ込むことにより、上記携帯型塗装用ハンドスプレー１１の蓄圧噴霧式スプレー装置１３は容器本体１２に着脱自在に取り付けることができる。
【００１８】
上記携帯型塗装用ハンドスプレー１１は、容器本体１２内に挿入された上記蓄圧噴霧式スプレー装置１３を構成する吸上げパイプ２７が、その先端にステンレス製ネット３３を取り付けられている。このステンレス製ネット３３は、吸上げパイプ２７内に塵埃が入り込んで目詰まりしないようにするためのものである。
【００１９】
以上のように構成した上記携帯型塗装用ハンドスプレー１１は、トリガー２３を手で引くとピストン２６が蓄圧室２５内部に押し込まれ、手を放すとスプリング３１の力によりピストン２６が元に戻るようになっている。このトリガー２３の操作に連動したピストン２６の往復運動により、蓄圧室２５内において圧縮された圧縮空気が容器本体１２内へ送入されて、溶剤で溶かした塗料４１の吸い込みと押し出しが行われ、押し出された塗料４１は球状バルブ２８および連通管３０を通過し、上記ノズル２２から霧状ないし放水状に噴射される仕組みになっている。
【００２０】
上記実施例においては、トリガーを備えた蓄圧噴霧式スプレー装置を有する携帯型塗装用ハンドスプレーについて説明したが、溶剤で溶かした塗料を噴霧する機構として充電式のモータ駆動によるスプレー装置を採用してもよい。その際の充電装置としては９．６Ｖ、１２Ｖもしくは２４Ｖのものを採用することができ、いずれも携帯型として利用することが可能である。
また、溶剤で溶かした塗料として、水性の塗料を用いることもできることはいうまでもない。
【産業上の利用可能性】
【００２１】
この発明によれば、建築物の外壁面や内装面、床面等の隅部や凹凸部分等の刷毛塗りができない部分や刷毛塗りしにくいところ、また塗装ローラによる塗装と刷毛塗りによる塗装との境界部分等に、常時携行しているこの発明の携帯型塗装用ハンドスプレーを使用して簡便に塗装するＫとができるようになった。
したがって、刷毛塗りができない部分や刷毛塗りしにくいところや、塗装ローラによる塗装部分と刷毛塗りによる塗装部分との境界部分等に、コンプレッサ等を用いないで簡便に塗料を噴霧できるようになり、上記刷毛塗りができない部分や刷毛塗りしにくいところの作業を簡単に行うことができ、また塗装面の塗りムラがワンタッチで解消できる。
もちろん、溶剤で溶かした塗料や水性塗料を噴射する用途であれば、刷毛塗りができない部分や刷毛塗りしにくいところ、また上記塗装面の塗りムラを解消するため以外にも用いることができることはいうまでもない。
【図面の簡単な説明】
【００２２】
【図１】図１はこの発明の携帯型塗装用ハンドスプレーの１実施例を示す概略側面図である。
【図２】その概略正面図である。
【符号の説明】
【００２３】
１１  携帯型塗装用ハンドスプレー
１２  容器本体
１３  蓄圧噴霧式スプレー装置
２１  本体ハウジング
２２  ノズル
２３  トリガー
２４  回転軸
２５  蓄圧室
２６  ピストン
２７  吸上げパイプ
２８  球状バルブ
２９  逆止弁
３０  連通管
３１  スプリング
３２  キャップ
３３  ステンレス製ネット
４１  溶剤で溶かした塗料
【図１】
2006281149.tif 000003
【図２】
2006281149.tif 000004